(57)【要約】【課題】操作弁ブラケットや操作弁の表面で結露し、その表面を伝って流下した結露水を確実にベース板内に回収することができる空気調和機の室外ユニットを提供することを目的とする。【解決手段】ベース板の周縁に鉛直上方にフランジ部が立ち上げられ、該フランジ部に操作弁ブラケット１０が固定設置されている空気調和機の室外ユニットにおいて、操作弁ブラケット１０のフランジ部への締結部位またはフランジ部の操作弁ブラケットとの締結部位のいずれか一方に、その側面から他方側に向け一定寸法突出された一対の皿出し部１７を所定間隔で設け、該皿出し部１７を介して操作弁ブラケット１０とフランジ部とをその側面間に一定の隙間を形成し、操作弁ブラケット１０をフランジ部に固定設置している。【選択図】図３
2014074543.tif 000002
【特許請求の範囲】
【請求項１】
ベース板の周縁に鉛直上方にフランジ部が立ち上げられ、そのフランジ部に操作弁ブラケットが固定設置されている空気調和機の室外ユニットにおいて、
前記操作弁ブラケットの前記フランジ部への締結部位または前記フランジ部の前記操作弁ブラケットとの締結部位のいずれか一方に、その側面から他方側に向け一定寸法突出された一対の皿出し部を所定間隔で設け、
該皿出し部を介して前記操作弁ブラケットと前記フランジ部とをその側面間に一定の隙間を形成し、前記操作弁ブラケットを前記フランジ部に固定設置していることを特徴とする空気調和機の室外ユニット。
【請求項２】
前記皿出し部が、前記操作弁ブラケットの外側面の下方部に所定間隔で一対設けられていることを特徴とする請求項１に記載の空気調和機の室外ユニット。
【請求項３】
前記フランジ部における前記操作弁ブラケットとの締結部位の間が、一定寸法外側に膨出されていることを特徴とする請求項１または２に記載の空気調和機の室外ユニット。
【請求項４】
前記皿出し部が、前記フランジ部の内側面に所定間隔で一対設けられていることを特徴とする請求項１に記載の空気調和機の室外ユニット。
【発明の詳細な説明】
【技術分野】
【０００１】
本発明は、室外ユニットのベース板上に操作弁ブラケットが設置されている空気調和機の室外ユニットに関するものである。
【背景技術】
【０００２】
空気調和機の室外ユニットにおいては、機械室側の内部に、冷媒配管を接続する操作弁が設けられている操作弁ブラケットが、側面パネルから外部に露出されるように設置されている。この操作弁ブラケットは、特許文献１に示されるように、室外ユニットのベース板の周縁部に鉛直上方に立ち上げられているフランジ部に固定設置されており、操作弁に対して外部からのアクセスを可能とするため、操作弁を側面パネルから外部側に露出させて設置している。
【０００３】
操作弁としては、２個のガス側操作弁および液側操作弁が上下に傾斜して配置され、室内ユニットとの間に接続されるガス側冷媒配管および液側冷媒配管が接続可能な構成とされている。この操作弁および操作弁ブラケットの外面側は、室外ユニットの側面パネルに対して着脱自在に設置されるサービスカバー（または側面カバーともいう。）により覆われる構成とされている。
【先行技術文献】
【特許文献】
【０００４】
【特許文献１】特開平１０−２５９９３２号公報
【発明の概要】
【発明が解決しようとする課題】
【０００５】
上記の室外ユニットにおいて、操作弁ブラケットにはガス側操作弁および液側操作弁が設置されており、これらの操作弁には、低圧冷媒が流通された場合、操作弁と共に操作弁ブラケットが冷やされ、それらの表面で結露水が発生する。この結露水は操作弁ブラケットの表面を伝って下方に流下し、本来、周縁にフランジ部が立ち上げられているベース板内に回収されるべきところを、操作弁ブラケットの設置部からフランジ部を越えてベース板の外部に飛散あるいは漏出することがあった。
【０００６】
これは、操作弁ブラケットの側面をフランジ部の内面にビス等を介して締め付け固定していたことにより、操作弁ブラケットの表面を流下した結露水がそのままフランジ部を越えて外部に流出してしまっていたためで、結露水の発生量が多い場合、飛散量あるいは漏出量が多くなり、室外ユニットの設置形態によっては、不具合を招くことがあった。
【０００７】
本発明は、このような事情に鑑みてなされたものであって、操作弁ブラケットや操作弁の表面で結露し、その表面を伝って流下した結露水を確実にベース板内に回収することができる空気調和機の室外ユニットを提供することを目的とする。
【課題を解決するための手段】
【０００８】
上記した課題を解決するために、本発明の空気調和機の室外ユニットは、以下の手段を採用する。
すなわち、本発明にかかる空気調和機の室外ユニットは、ベース板の周縁に鉛直上方にフランジ部が立ち上げられ、そのフランジ部に操作弁ブラケットが固定設置されている空気調和機の室外ユニットにおいて、前記操作弁ブラケットの前記フランジ部への締結部位または前記フランジ部の前記操作弁ブラケットとの締結部位のいずれか一方に、その側面から他方側に向け一定寸法突出された一対の皿出し部を所定間隔で設け、該皿出し部を介して前記操作弁ブラケットと前記フランジ部とをその側面間に一定の隙間を形成し、前記操作弁ブラケットを前記フランジ部に固定設置していることを特徴とする。
【０００９】
本発明によれば、ベース板周縁のフランジ部に、操作弁ブラケットが固定設置されている空気調和機の室外ユニットにあって、操作弁ブラケットのフランジ部への締結部位またはフランジ部の操作弁ブラケットとの締結部位のいずれか一方に、その側面から他方側に向け一定寸法突出された一対の皿出し部を所定間隔で設け、該皿出し部を介して操作弁ブラケットとフランジ部とをその側面間に一定の隙間を形成し、操作弁ブラケットをフランジ部に固定設置しているため、ベース板周縁のフランジ部と、該フランジ部に固定設置される操作弁ブラケットとの側面間に、皿出し部の突出寸法に見合った大きさの隙間を形成して、操作弁ブラケットをベース板周縁のフランジ部に固定設置することができ、その隙間を介して、操作弁で操作弁ブラケットが冷却されることによりその表面で結露し滴下する結露水を、ベース板内に回収することができる。従って、操作弁ブラケットの表面で結露した結露水を確実にベース板内に回収して排出することができ、その結露水が操作弁側の側面から外部に飛散あるいは漏出する事態を防止することができる。
【００１０】
さらに、本発明の空気調和機の室外ユニットは、上記の空気調和機の室外ユニットにおいて、前記皿出し部が、前記操作弁ブラケットの外側面の下方部に所定間隔で一対設けられていることを特徴とする。
【００１１】
本発明によれば、皿出し部が、操作弁ブラケットの外側面の下方部に所定間隔で一対設けられているため、フランジ部への締結部位にその外側面からフランジ部側に向け一定寸法突出された一対の皿出し部を設けた操作弁ブラケットを、その皿出し部を介してフランジ部に固定設置することにより、フランジ部と操作弁ブラケットとの側面間に、皿出し部の突出寸法の大きさに見合った隙間を形成することができる。従って、操作弁ブラケットの表面で結露した結露水をその隙間よりベース板内に回収して処理することができ、操作弁側の側面からの外部への飛散あるいは漏出を確実に防止することができる。
【００１２】
さらに、本発明の空気調和機の室外ユニットは、上述のいずれかの空気調和機の室外ユニットにおいて、前記フランジ部における前記操作弁ブラケットとの締結部位の間が、一定寸法外側に膨出されていることを特徴とする。
【００１３】
本発明によれば、フランジ部における操作弁ブラケットとの締結部位の間が、一定寸法外側に膨出されているため、フランジ部と操作弁ブラケットとの側面間に形成される隙間の大きさを、皿出し部による突出寸法にフランジ部の外側への膨出寸法を加えた大きさとすることができる。従って、操作弁ブラケットの表面で結露した結露水をベース板内に導くための隙間をより大きくし、結露水をベース板内に回収し易くすることができる。
【００１４】
さらに、本発明の空気調和機の室外ユニットは、上記の空気調和機の室外ユニットにおいて、前記皿出し部が、前記フランジ部の内側面に所定間隔で一対設けられていることを特徴とする。
【００１５】
本発明によれば、皿出し部が、フランジ部の内側面に所定間隔で一対設けられているため、フランジ部の締結部位にその内側面から操作弁ブラケット側に向け一定寸法突出された一対の皿出し部を設け、その皿出し部を介してフランジ部に操作弁ブラケットを固定設置することにより、フランジ部と操作弁ブラケットとの側面間に、皿出し部の突出寸法の大きさに見合った隙間を形成することができる。従って、操作弁ブラケットの表面で結露した結露水を、その隙間よりベース板内に回収して処理することができ、操作弁側の側面からの外部への飛散あるいは漏出を確実に防止することができる。
【発明の効果】
【００１６】
本発明によると、ベース板周縁のフランジ部と、該フランジ部に固定設置される操作弁ブラケットとの側面間に、皿出し部の突出寸法に見合った大きさの隙間を形成して、操作弁ブラケットをベース板周縁のフランジ部に対して固定設置することができ、その隙間を介して、操作弁で操作弁ブラケットが冷却されることによりその表面で結露し滴下する結露水を、ベース板内に回収することができるため、操作弁ブラケットの表面で結露した結露水を確実にベース板内に回収して排出することができ、その結露水が操作弁側の側面から外部に飛散あるいは漏出する事態を防止することができる。
【図面の簡単な説明】
【００１７】
【図１】本発明の第１実施形態に係る空気調和機の室外ユニットのサービスパネルを取り外した状態の斜視図である。
【図２】図１に示す室外ユニットのベース板上に操作弁ブラケットを設置した状態の斜視図である。
【図３】図２に示す操作弁ブラケットの斜視図である。
【図４】図２に示す操作弁ブラケットの設置部の縦断面図である。
【図５】本発明の他の実施形態に係る操作弁ブラケットおよびベース板側フランジ部の部分斜視図である。
【発明を実施するための形態】
【００１８】
以下に、本発明にかかる実施形態について、図面を参照して説明する。
［第１実施形態］
以下、本発明の第１実施形態について、図１ないし図４を用いて説明する。
図１には、本発明の一実施形態に係る空気調和機の室外ユニットのサービスパネルを取り外した状態の斜視図が示され、図２には、そのベース板上に操作弁ブラケットを設置した状態の斜視図、図３には、操作弁ブラケットの斜視図、図４には、操作弁ブラケットの設置部の縦断面図が示されている。
空気調和機の室外ユニット１は、底面に複数の据え付け脚４が設けられているベース板３と、ベース板３上に設置される吹出しグリル６を設けた前面パネル５、左・右側面パネル７，８および上面パネル９等とから構成される筐体２を備えている。
【００１９】
筐体２の背面側は、略開口されており、その開口に面してプレートファンチューブ形の室外熱交換器が設置されている。筐体２の内部は、公知の如く、仕切り板により熱交換器室側と機械室側とに仕切られており、熱交換器室側には、上記室外熱交換器および該室外熱交換器を通して外気を流通させ、吹出しグリル６から前面側に吹出す送風ファン等が配設され、機械室側には、圧縮機、四方切換弁、コントロールボックス、操作弁ブラケット１０および電力線、通信線等を接続する端子台１１等が設置されている。
【００２０】
操作弁ブラケット１０および端子台１１は、図１に示されるように、側面パネル７から外部側に露出されるように設置されており、その外面側は、室外ユニット１の側面パネル７に対して着脱自在に設置される図示省略のサービスカバー（側面カバーともいう。）によって覆われる構成とされている。
【００２１】
筐体２のベース板３は、図２に示されるように、横長長方形状の板金製板材であり、室外熱交換器、送風ファン、圧縮機等の設置部が成形されているとともに、周縁部に鉛直上方に立ち上げられた所定高さのフランジ部３Ａが設けられた構成とされている。このベース板３の右側辺側のフランジ部３Ａには、操作弁ブラケット１０がネジ等の締結手段を介して固定設置されている。
【００２２】
操作弁ブラケット１０は、上下方向に長くされた略長方形状の板金製部品であり、室内ユニットとの間に接続されるガス側冷媒配管および液側冷媒配管が接続可能とされているガス側操作弁（操作弁）１２および液側操作弁（操作弁）１３の２個の操作弁１２，１３が上下に所定角度傾斜された状態でネジ１４等により固定設置されている。このガス側操作弁１２および液側操作弁１３には、室外ユニット１側の構成機器と接続するための冷媒接続管１５，１６が設けられている。
【００２３】
また、操作弁ブラケット１０には、図３に示されるように、操作弁ブラケット１０をベース板３のフランジ部３Ａに対してネジ等により締結するために、その外側面の下方部両側のフランジ部３Ａに対する締結部位に、フランジ部３Ａ側に向け一定寸法突出された一対の皿出し部１７が所定間隔で一体成形されている。この一対の皿出し部１７には、ネジによる締結用穴１８が設けられている。
【００２４】
このように、操作弁ブラケット１０のフランジ部３Ａに対する締結部位に、フランジ部３Ａ側に向け一定寸法突出された一対の皿出し部１７を設け、操作弁ブラケット１０をフランジ部３Ａの内側面に固定設置することによって、図４に示されるように、操作弁ブラケット１０の外側面とフランジ部３Ａの内側面との間に、一定寸法の隙間Ｓを形成することができ、この隙間Ｓを介して、操作弁ブラケット１０やガス側操作弁１２、液側操作弁１３等の表面で結露し、操作弁ブラケット１０の表面を伝って下方に流下する結露水をベース板３内に回収することが可能となる。
【００２５】
以上に説明の構成により、本実施形態によれば、以下の作用効果を奏する。
空気調和機が運転されることにより、ガス側操作弁１２および液側操作弁１３に低圧冷媒が流通された場合、該操作弁１２，１３およびそれら操作弁１２，１３が設置されている操作弁ブラケット１０が冷却され、その表面において空気中の水分が結露を発生することがある。この結露水は、操作弁ブラケット１０の表面を伝って下方に流下するが、それを全てベース板３内に回収する必要がある。
【００２６】
通常、室外ユニット１は、屋外に設置されるため、室外ユニット１内で発生したドレン水をそのまま屋外に排出しても、殆んど問題になることはないものの、例えば、室外ユニット１をベランダに吊下げ設置する等、その設置の仕方如何によっては、ドレン水が不特定の位置から外部に飛散あるいは漏出する事態を避けなければならない場合があり、一般的にはベース板３の特定位置に排出穴を設け、そこから排出処理するようにしている。
【００２７】
しかるに、本実施形態では、ベース板３周縁のフランジ部３Ａと、そのフランジ部３Ａに固定設置される操作弁ブラケット１０との側面間に、操作弁ブラケット１０側に設けられている皿出し部１７の突出寸法に見合った隙間Ｓを形成して、操作弁ブラケット１０をベース板３周縁のフランジ部３Ａに固定設置することができ、その隙間Ｓを介して、ガス側操作弁１２および液側操作弁１３等で操作弁ブラケット１０が冷却されることによりその表面で結露し滴下する結露水を、ベース板３内に回収することができる。従って、操作弁ブラケット１０の表面で結露した結露水を確実にベース板３内に回収して排出することができ、その結露水が操作弁１２，１３側の側面から外部に飛散あるいは漏出する事態を防止することができる。
【００２８】
また、上記皿出し部１７は、操作弁ブラケット１０の外側面の下方部位に所定間隔で一対設けられているため、フランジ部３Ａへの締結部位にその外側面からフランジ部３Ａ側に向け一定寸法突出された一対の皿出し部１７を設けた操作弁ブラケット１０を、その皿出し部１７を介してフランジ部３Ａに固定設置することにより、フランジ部３Ａと操作弁ブラケット１０との側面間に、皿出し部１７の突出寸法の大きさに見合った隙間Ｓを形成することができる。従って、操作弁ブラケット１０の表面で結露した結露水をその隙間Ｓよりベース板３内に回収して処理することができ、操作弁１２，１３側の側面からの外部への飛散あるいは漏出を確実に防止することができる。
【００２９】
［他の実施形態］
次に、本発明の他の実施形態について、以下に説明する。
（１）上記第１実施形態では、操作弁ブラケット１０の外側面の下方部位に所定間隔で一対の皿出し部１７を設けた構成としているが、ベース板３のフランジ部３Ａ側における操作弁ブラケット１０との締結部位に、操作弁ブラケット１０側に向けて一定寸法突出された同様の皿出し部を一対設けた構成としてもよい。
【００３０】
かかる構成としても、その皿出し部を介してフランジ部３Ａに操作弁ブラケット１０を固定設置することにより、フランジ部３Ａと操作弁ブラケット１０との側面間に、皿出し部の突出寸法の大きさに見合った隙間Ｓを形成することができる。従って、操作弁ブラケット１０の表面で結露した結露水を、その隙間Ｓよりベース板３内に回収して処理することができ、操作弁１２，１３側の側面からの外部への飛散あるいは漏出を確実に防止することができる。
【００３１】
（２）上記実施形態では、操作弁ブラケット１０側またはフランジ部３Ａ側の締結部位に対して、皿出し部１７を設けた構成としているが、これに加えて、図５に示されるように、フランジ部３Ａにおける操作弁ブラケット１０との締結部位の間を、一定寸法外側に膨出する膨出部１９を設けた構成とし、隙間Ｓをより大きくするようにしてもよい。
【００３２】
このような構成を採用することにより、フランジ部３Ａと操作弁ブラケット１０との側面間に形成される隙間Ｓの大きさを、皿出し部１７による突出寸法にフランジ部３Ａの外側への膨出寸法を加えた大きさとすることができることから、操作弁ブラケット１０の表面で結露した結露水をベース板３内に導くための隙間Ｓをより大きくし、結露水をベース板３内に回収し易くすることができる。
【００３３】
なお、本発明は、上記実施形態にかかる発明に限定されるものではなく、その要旨を逸脱しない範囲において、適宜変形が可能である。例えば、上記実施形態では、操作弁ブラケット１０をフランジ部３Ａに対してネジで固定設置した例について説明したが、必ずしもネジ止めである必要はなく、他の手段、例えば溶接等であってもよい。
また、操作弁ブラケット１０自体の形状やガス側操作弁１２および液側操作弁１３の取付け構造については、上記実施形態のものに限らず、様々な変形例を採用することが可能である。
【符号の説明】
【００３４】
１  室外ユニット
３  ベース板
３Ａ  フランジ部
７  側面パネル
１０  操作弁ブラケット
１２  ガス側操作弁（操作弁）
１３  液側操作弁（操作弁）
１７  皿出し部
１８  締結用穴
１９  膨出部
Ｓ  隙間
【図１】
2014074543.tif 000003
【図２】
2014074543.tif 000004
【図３】
2014074543.tif 000005
【図４】
2014074543.tif 000006
【図５】
2014074543.tif 000007